(57)【要約】  本開示は、アップリンク制御情報のためのモジュラー制御チャネルフォーマットを使用したセルラ通信の実行に関する。無線デバイスは、アップリンク通信のためのスロット構造を判定してもよい。スロット構造は、複数の可能なスロット構造から選択されてもよい。アップリンク制御情報は、スロット中において１つ以上のアップリンク制御チャネルモジュールを介して送信されてもよい。スロット中にアップリンク制御情報が送信されるアップリンク制御チャネルモジュールの数は、アップリンク制御通信のためのスロット構造に少なくとも部分的に基づいて選択されてもよい。
2020508622.tif 000002
【特許請求の範囲】
【請求項１】
無線デバイスに、
少なくとも第１のスロット構造及び第２のスロット構造からアップリンク通信のためのスロット構造を判定させることであって、前記第１のスロット構造は、前記第２のスロット構造よりも少ない数のスロット当たりのシンボルを含む、判定させること、
アップリンク制御チャネルを介してアップリンク制御情報を送信させることであって、前記アップリンク制御チャネルは、モジュラーであるフォーマットを有し、前記第１のスロット構造には、１つのアップリンク制御モジュールが使用され、前記第２のスロット構造には、２つのアップリンク制御モジュールが使用される、送信させること、
をするように構成されている処理要素を備える装置。
【請求項２】
２つのアップリンク制御モジュールが使用される場合、前記アップリンク制御モジュールは、異なるサブキャリア上で送信される、
請求項１に記載の装置。
【請求項３】
２つのアップリンク制御モジュールが使用される場合、前記アップリンク制御モジュールは、異なるシンボル上で送信される、請求項１に記載の装置。
【請求項４】
前記処理要素は、前記無線デバイスに、
少なくとも第１のアップリンクスロットタイプ及び第２のアップリンクスロットタイプから、前記アップリンク通信のためのスロットタイプを判定させ、
前記スロットタイプに少なくとも部分的に基づいて、使用するアップリンク制御チャネルモジュール構造を判定させる、
ように更に構成されている、請求項１に記載の装置。
【請求項５】
前記アップリンク制御チャネルモジュール構造を判定するために、前記処理要素は、前記無線デバイスに、
前記第１のアップリンクスロットタイプのための第１のアップリンク制御チャネルモジュール構造を選択させ、
前記第２のアップリンクスロットタイプのための第２のアップリンク制御チャネルモジュール構造を選択させる、
ように更に構成されており、
前記第１のアップリンクスロットタイプは、前記第２のアップリンクスロットタイプよりも多くのアップリンクシンボルを含み、前記第１のアップリンク制御チャネルモジュール構造は、前記第２のアップリンク制御チャネルモジュール構造よりも多くのシンボルを含む、請求項４に記載の装置。
【請求項６】
前記処理要素は、前記無線デバイスに、
アップリンク制御情報のためのシンボルの数、及び各アップリンク制御モジュールの基準信号のためのシンボルの数を判定させるように更に構成されている、請求項１に記載の装置。
【請求項７】
前記処理要素は、前記無線デバイスに、
アップリンク制御情報のためのシンボルの順序、及び各アップリンク制御モジュールの基準信号のためのシンボルの順序を判定させるように更に構成されている、請求項１に記載の装置。
【請求項８】
無線デバイスによって、
アップリンク通信のためのスロット構造を判定することであって、前記スロット構造は、少なくとも第１のスロット構造及び第２のスロット構造から選択される、ことと、
スロット中において、１つ以上のアップリンク制御チャネルモジュールを介してアップリンク制御情報を送信することであって、前記スロット中にアップリンク制御情報が送信されるアップリンク制御チャネルモジュールの数は、アップリンク制御通信のための前記スロット構造に少なくとも部分的に基づいている、ことと、
を含む方法。
【請求項９】
前記第１のスロット構造は７シンボルスロット構造を含み、前記第２のスロット構造は１４シンボルスロット構造を含む、
請求項８に記載の方法。
【請求項１０】
前記無線デバイスによって、
前記アップリンク通信のためのスロットタイプを判定することと、
前記スロットタイプに少なくとも部分的に基づいて、前記アップリンク制御モジュールのためのアップリンク制御チャネルモジュール構造を判定することと、
を更に含む、請求項８に記載の方法。
【請求項１１】
前記スロットタイプは、少なくとも第１のアップリンクスロットタイプ及び第２のアップリンクスロットタイプから選択される、請求項１０に記載の方法。
【請求項１２】
前記第１のアップリンクスロットタイプはアップリンクのみのスロットタイプを含み、
前記第２のアップリンクスロットタイプはアップリンク中心のスロットタイプを含む、請求項１１に記載の方法。
【請求項１３】
前記アップリンク制御チャネルモジュール構造は、少なくとも５シンボルアップリンク制御チャネルモジュール又は７シンボルアップリンク制御チャネルモジュールから選択される、
請求項１０に記載の方法。
【請求項１４】
前記無線デバイスによって、
前記アップリンク制御チャネルモジュール（単数又は複数）のためのアップリンク制御チャネルモジュールフォーマットを判定すること、を更に含み、
前記アップリンク制御チャネルモジュールフォーマットは、少なくとも第１のアップリンク制御チャネルモジュールフォーマット及び第２のアップリンク制御チャネルモジュールフォーマットから選択され、
前記第１のアップリンク制御チャネルモジュールフォーマットは、前記第２のアップリンク制御チャネルモジュールフォーマットよりも、アップリンク制御情報に対して、より多くのシンボルを、及び基準信号に対して、より少ないシンボルを含む、
請求項８に記載の方法。
【請求項１５】
アンテナと、
前記アンテナと動作可能に結合された無線機と、
前記無線機に動作可能に結合された処理要素と、を備える、無線デバイスであって、
前記無線デバイスは、
アップリンク通信のためのスロット構造を判定することであって、前記スロット構造は、少なくとも第１のスロット構造及び第２のスロット構造から選択される、スロット構造を判定すること、
スロット中において、１つ以上のアップリンク制御チャネルモジュールを介してアップリンク制御情報を送信することであって、前記スロット中にアップリンク制御情報が送信されるアップリンク制御チャネルモジュールの数は、アップリンク制御通信のためのスロット構造に少なくとも部分的に基づいている、送信すること、をするように構成されている、無線デバイス。
【請求項１６】
第１のスロット構造は、前記第２のスロット構造よりも少ないスロット当たりのシンボルを含み、前記無線デバイスは、
前記第１のスロット構造のためのアップリンク制御情報を送信する１つのアップリンク制御チャネルモジュールを選択し、
前記第２のスロット構造のためのアップリンク制御情報を送信する２つのアップリンク制御チャネルモジュールを選択する、ように更に構成されている、請求項１５に記載の無線デバイス。
【請求項１７】
２つのアップリンク制御チャネルモジュールが選択される場合、前記アップリンク制御モジュールは、異なるサブキャリア上で、かつ前記スロットの異なるシンボル上で送信される、
請求項１６に記載の無線デバイス。
【請求項１８】
前記無線デバイスは、
少なくとも複数の可能なアップリンクスロットタイプから前記アップリンク通信のためのスロットタイプを判定し、
前記スロットタイプに少なくとも部分的に基づいて、使用するアップリンク制御チャネルモジュール構造を判定する、
ように更に構成されている、請求項１５に記載の無線デバイス。
【請求項１９】
前記アップリンク制御チャネルモジュール構造を判定するために、前記無線デバイスは、
より少ないアップリンクシンボルを含むアップリンクスロットタイプに対するよりも、より多くのアップリンクシンボルを含むアップリンクスロットタイプに対して、より多くのアップリンクシンボルを含むアップリンク制御チャネルモジュール構造を選択するように更に構成されている、請求項１８に記載の無線デバイス。
【請求項２０】
前記無線デバイスは、
アップリンク制御情報のためのシンボルの数、及び各アップリンク制御モジュールの基準信号のシンボルの数、あるいは
アップリンク制御情報のためのシンボルの順序、及び各アップリンク制御モジュールの基準信号のシンボルの順序
のうちの１つ以上を判定するように更に構成されている、請求項１５に記載の無線デバイス。
【発明の詳細な説明】
【技術分野】
【０００１】
本出願は、無線通信に関し、特にアップリンク制御情報のためのモジュラー制御チャネルフォーマットを使用してセルラ通信を実行するためのシステム、装置、及び方法に関する。
【背景技術】
【０００２】
無線通信システムの使用が急速に増大している。近年、スマートフォンやタブレットコンピュータなどの無線デバイスは益々洗練されてきている。現在、多くのモバイルデバイス（すなわち、ユーザ機器デバイス、又はＵＥ）は、通話の支援に加え、インターネット、電子メール、テキストメッセージング、及び全地球測位システム（ＧＰＳ）を用いたナビゲーションへのアクセスを提供し、これらの機能を利用する洗練されたアプリケーションを動作させることができる。加えて、数多くの異なる無線通信技術及び標準が存在する。無線通信標準のいくつかの例として、ＧＳＭ（登録商標）、（例えば、ＷＣＤＭＡ（登録商標）又はＴＤ−ＳＣＤＭＡエアインタフェースに関連する）ＵＭＴＳ、ＬＴＥ、ＬＴＥ  Ａｄｖａｎｃｅｄ（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＢＬＵＥＴＯＯＴＨ（登録商標）などが挙げられる。
【０００３】
無線通信デバイスに導入される絶えず増えつつある特徴及び機能はまた、無線通信と無線通信デバイスの両方を改善する継続的な必要性を生んでいる。特に、ユーザ機器（ＵＥ）デバイスを介して、例えば無線セルラ通信で使用されるセルラ電話、基地局、及び中継局などの無線デバイスを介した送信信号及び受信信号の精度を保証することが重要である。加えて、ＵＥデバイスの機能性を増大させることにより、ＵＥデバイスの電池寿命に大きな負荷が課され得る。したがって、通信を改善するためにＵＥデバイスが良好な送信能力及び受信能力を維持できるようにする一方で、ＵＥデバイス設計の所要電力を削減することも非常に重要である。
【０００４】
カバレッジを増大させ、無線通信の想定される使用に対する増大する要求及び範囲により良く対応するために、上述の通信標準に加えて、第５世代（５Ｇ）新無線（new radio）（ＮＲ）通信を含む、開発中の更なる無線通信技術が存在する。それに応じて、このような開発及び設計をサポートする、この分野における改善が望まれる。
【発明の概要】
【０００５】
本明細書では、アップリンク制御情報のためのモジュラー制御チャネルフォーマット（modular control channel formats）を使用するセルラ通信のための装置、システム、及び方法の実施形態が提示される。
【０００６】
いくつかの例では、セルラ通信は、そのような複数の可能なスロット構造及び／又はフォーマットが使用されるようにして方法で実行されてもよい。更に、少なくともいくつかの例では、可能な構造及び／又はフォーマットの中から動的に選択することが可能な場合がある。例えば、少なくともいくつかの実施形態によると、５Ｇ  ＮＲ通信システムは、例えば、７シンボルスロット構造及び１４シンボルスロット構造、並びに、アップリンクのみのスロットフォーマット、アップリンク中心のスロットフォーマット、ダウンリンク中心のスロットフォーマット、及びダウンリンクのみのスロットフォーマットを含む、複数のスロット構造及びフォーマットをサポートし得る。そのような融通性は、少なくともいくつかの実施形態において、送信スロットの効率的なスケジューリングを促進し得る。
【０００７】
そのような様々な可能なスロット構造及び／又はフォーマットと併せて、アップリンク制御情報を提供するためのモジュラーシステムを使用してもよい。例えば、７シンボルスロット構造の中に適合する１つ以上のアップリンク制御チャネルモジュールを定義することが可能な場合があり、１４シンボルスロット構造が使用される場合には、例えば、異なるスロット構造のために完全に異なる制御チャネルを定義するのではなく、複数のそのようなモジュールを使用することが可能な場合がある。
【０００８】
いくつかの実施形態によると、例えば、異なる可能なスロットフォーマットと併せて、より高い融通性を提供するために、アップリンク制御チャネルモジュール用に複数の可能なアップリンク制御チャネルモジュール構造及び／又はフォーマットから選択することが可能であり得る。
【０００９】
例えば、異なる数のシンボルを有するアップリンク制御チャネルモジュール構造を定義してもよく、それにより、（例えば、利用可能なアップリンクシンボルを完全に利用するために）、より多くの利用可能なアップリンクシンボルを有するスロットフォーマットに対しては、より多くのシンボルを有するアップリンク制御チャネルモジュール構造が選択され、一方で、（例えば、アップリンク制御チャネルモジュール構造が、スロットのアップリンクシンボルの利用可能な数の中に収まることを確実にするために）、より少ない利用可能なアップリンクシンボルを有するスロットフォーマットに対しては、より少ないシンボルを有するアップリンク制御チャネルモジュール構造が選択されることが可能になる。
【００１０】
別の例として、シンボルの異なる配列を有するアップリンク制御チャネルモジュールフォーマットを定義することができ、それにより、より大きいパイロット対データ比が保証される状態では、より多くのシンボルが基準信号（reference signal）専用である（したがって、より少ないシンボルがアップリンク制御情報専用である）アップリンク制御チャネルモジュールフォーマットが選択され、一方で、それほど大きいパイロット対データ比が必要とされない状態では、より少ないシンボルが基準信号専用である（したがって、より多くのシンボルがアップリンク制御情報専用である）アップリンク制御チャネルモジュールフォーマットが選択されることが可能になる。基準信号専用のシンボル対アップリンク制御情報専用のシンボルの配列に対して、異なる順序で順序付けられたフォーマット、及び／又は様々な他の可能なフォーマットの変形形態のうちのいずれかも可能であることに留意されたい。
【００１１】
本明細書に記載された技術は、基地局、アクセスポイント、セルラ電話、ポータブルメディアプレーヤ、タブレットコンピュータ、ウェアラブルデバイス、及び様々な他のコンピューティングデバイスを含むがこれらに限られない、複数の異なるタイプのデバイス内に実装され、及び／又はそれらデバイスと共に使用されてもよいことに留意されたい。
【００１２】
この発明の概要は、この書類において説明される主題のいくつかの簡易的な概要を提供することを意図している。したがって、上記説明された特徴は、実施例にすぎず、いずれかの方式において本明細書で説明される主題の範囲及び趣旨を狭めると解釈されるべきでないことを理解されよう。本明細書で説明される主題の他の特徴、態様、及び利点は、以下の詳細な説明、図面、及び特許請求の範囲から明らかになるであろう。
【図面の簡単な説明】
【００１３】
【図１】いくつかの実施形態による、例示的な（かつ簡略化された）無線通信システムを示す。
【００１４】
【図２】いくつかの実施形態による、例示的な無線ユーザ機器（ＵＥ）デバイスと通信する例示的な基地局を示す。
【００１５】
【図３】いくつかの実施形態による、例示的なＵＥのブロック図を示す。
【００１６】
【図４】いくつかの実施形態による、例示的な基地局のブロック図を示す。
【００１７】
【図５】いくつかの実施形態による、アップリンク制御情報のためのモジュラー制御チャネルフォーマットを使用してセルラ通信を実行するための例示的な可能な方法の態様を示す通信フロー図である。
【００１８】
【図６】いくつかの実施形態による、いくつかの例示的な可能な５Ｇ  ＮＲスロットフォーマットを示す。
【００１９】
【図７】いくつかの実施形態による、７シンボルスロット構造を有するスロットに使用することができる例示的な可能な５Ｇ  ＮＲアップリンク制御チャネルモジュールを示す。
【００２０】
【図８】いくつかの実施形態による、１４シンボルスロット構造を有するスロットに使用することができる例示的な可能な５Ｇ  ＮＲアップリンク制御チャネルモジュールを示す。
【００２１】
【図９】いくつかの実施形態による、５シンボルアップリンク制御チャネルモジュールのための例示的な可能な５Ｇ  ＮＲアップリンク制御チャネルモジュールフォーマットを示す。
【００２２】
【図１０】いくつかの実施形態による、７シンボルアップリンク制御チャネルモジュールのための例示的な可能な５Ｇ  ＮＲアップリンク制御チャネルモジュールフォーマットを示す。
【００２３】
【図１１】いくつかの実施形態による、６シンボルアップリンク制御チャネルモジュールのための例示的な可能な５Ｇ  ＮＲアップリンク制御チャネルモジュールフォーマットを示す。
【００２４】
本明細書で説明される特徴は、様々な修正形態及び代替形態を許容するが、その特定の実施形態を図面において例として示し、ここで詳細に説明する。しかし、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正形態、均等形態、及び代替形態を包含することである点を理解されたい。
【発明を実施するための形態】
【００２５】
略称
様々な略称が本出願を通して使用される。本出願を通じて出現し得る最も顕著に使用される頭字語の定義を以下に示す。
・ＵＥ：ユーザ機器
・ＲＦ：無線周波数
・ＢＳ：基地局
・ＧＳＭ：移動体通信グローバルシステム
・ＵＭＴＳ：ユニバーサル移動体通信システム
・ＬＴＥ：ロングタームエボリューション
・ＮＲ：新無線（New Radio）
・ＴＸ：送信／送信する
・ＲＸ：受信／受信する
・ＬＡＮ：ローカルエリアネットワーク
・ＷＬＡＮ：無線ＬＡＮ
・ＡＰ：アクセスポイント
・ＲＡＴ：無線アクセス技術
・ＩＥＥＥ：米国電気電子学会
・Ｗｉ−Ｆｉ：ＩＥＥＥ８０２．１１標準に基づく無線ローカルエリアネットワーク（ＷＬＡＮ）ＲＡＴ
用語
以下は本明細書で出現し得る用語集である。
【００２６】
記憶媒体−様々な種類の非一時的なメモリデバイス又は記憶デバイスのうちの任意のもの。用語「記憶媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類の記憶要素などを含むことが意図されている。記憶媒体は、他の種類の非一時的メモリ、並びにそれらの組み合わせも含んでもよい。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の場合には、第２のコンピュータシステムは、第１のコンピュータシステムに、実行するためのプログラム命令を提供することができる。用語「記憶媒体」は、異なる場所、例えば、ネットワークを通じて接続された異なるコンピュータシステムに存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００２７】
搬送媒体−上述のような記憶媒体、並びにバス、ネットワークなどの物理的伝送媒体、及び／又は電気信号、電磁信号、若しくはデジタル信号などの信号を伝送する他の物理的伝送媒体。
【００２８】
コンピュータシステム（又はコンピュータ）−パーソナルコンピュータシステム（ＰＣ）、メインフレームコンピュータシステム、ワークステーション、ネットワーク機器、インターネット機器、パーソナルデジタルアシスタント（ＰＤＡ）、テレビシステム、グリッドコンピューティングシステム、若しくは他のデバイス又はデバイスの組み合わせを含む、任意の様々な種類のコンピューティングシステム又は処理システム。一般に、用語「コンピュータシステム」は、記憶媒体からの命令を実行する少なくとも１つのプロセッサを有する任意のデバイス（又はデバイスの組み合わせ）を包含するように広く定義されてもよい。
【００２９】
ユーザ機器（ＵＥ）（又は、「ＵＥデバイス」）−移動式又は携帯式であり、無線通信を実行する、様々な種類のコンピュータシステム又はデバイスのうちの任意のもの。ＵＥデバイスの例としては、携帯電話又はスマートフォン（例えば、ｉＰｈｏｎｅ（登録商標）ベースの電話、Ａｎｄｒｏｉｄ（登録商標）ベースの電話）、タブレットコンピュータ（例えば、ｉＰａｄ（登録商標）、Ｓａｍｓｕｎｇ  Ｇａｌａｘｙ（登録商標））、ポータブルゲームデバイス（例えば、Ｎｉｎｔｅｎｄｏ  ＤＳ（登録商標）、ＰｌａｙＳｔａｔｉｏｎ  Ｐｏｒｔａｂｌｅ（登録商標）、Ｇａｍｅｂｏｙ  Ａｄｖａｎｃｅ（登録商標）、ｉＰｈｏｎｅ（登録商標））、ウェアラブルデバイス（例えば、スマートウォッチ、スマートグラス）、ラップトップ、ＰＤＡ、ポータブルインターネットデバイス、音楽プレーヤ、データ記憶デバイス、又は他のハンドヘルドデバイスなどが挙げられる。一般に、用語「ＵＥ」又は「ＵＥデバイス」は、ユーザによって容易に持ち運ばれ、無線通信が可能な、あらゆる電子デバイス、コンピューティングデバイス、及び／又は遠隔通信デバイス（あるいはデバイスの組み合わせ）を包含するように幅広く定義され得る。
【００３０】
無線デバイス−無線通信を実行する様々な種類のコンピュータシステム又はデバイスのうちの任意のもの。無線デバイスは、携帯式（若しくは移動式）とすることができる、又は特定の場所に定置若しくは固定することができる。ＵＥは、無線デバイスの一例である。
【００３１】
通信デバイス−通信を実行する様々な種類のコンピュータシステム又はデバイスのうちの任意のものであって、通信は、有線又は無線とすることができる。通信デバイスは、携帯式（若しくは移動式）とすることができる、又は特定の場所に定置若しくは固定することができる。無線デバイスは、通信デバイスの一例である。ＵＥは、通信デバイスの別の例である。
【００３２】
基地局（ＢＳ）−用語「基地局」は、その通常の意味の全てを有し、固定位置に設置され無線電話システム又は無線機システムの一部として通信するために使用される無線通信局を少なくとも含む。
【００３３】
処理要素−デバイス内で、例えば、ユーザ機器デバイス内で、又はセルラネットワークデバイス内で機能を実行することが可能な、様々な要素若しくは要素の組み合わせを指す。処理要素は、例えば、プロセッサ及び関連するメモリ、個別のプロセッサコアの一部又は回路、プロセッサコア全体、プロセッサアレイ、ＡＳＩＣ（特定用途向け集積回路）などの回路、フィールドプログラマブルゲートアレイ（ＦＰＧＡ）などのプログラム可能なハードウェア要素、並びに上述のものの任意の様々な組み合わせを含んでもよい。
【００３４】
Ｗｉ−Ｆｉ−用語「Ｗｉ−Ｆｉ」は、その通常の意味の全範囲を有するものであり、無線ＬＡＮ（ＷＬＡＮ）アクセスポイントによってサービスが提供され、これらのアクセスポイントを通じてインターネットへの接続性を提供する、無線通信ネットワーク又はＲＡＴを少なくとも含む。最新のＷｉ−Ｆｉネットワーク（又は、ＷＬＡＮネットワーク）は、ＩＥＥＥ８０２．１１標準に基づくものであり、「Ｗｉ−Ｆｉ」という名称で市販されている。Ｗｉ−Ｆｉ（ＷＬＡＮ）ネットワークは、セルラネットワークとは異なるものである。
【００３５】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能なハードウェア要素、ＡＳＩＣなど）によって、それらのアクション又は動作が実行されることを指す。したがって、用語「自動的に」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動で」は実行されない。例えば、ユーザが、各フィールドを選択し、情報を明示する入力を提供することによって（例えば、情報のタイピング、チェックボックスの選択、無線機の選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を明示するユーザ入力を何ら使用することなく、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００３６】
ように構成されている（Configured to）−様々な構成要素が、タスクを実行する「ように構成されている」と説明され得る。そのようなコンテキストにおいて「ように構成されている」は、動作中のタスクを実行する「構造を有する」ことを一般的に意味する広範な説明である。このように、構成要素は、タスクを現在実行していない場合であっても、そのタスクを実行するように構成することができる（例えば、電気導体のセットは、２つのモジュールが接続されていなくても、モジュールを別のモジュールへ電気的に接続するように構成されていてもよい）。いくつかのコンテキストにおいて、「ように構成されている」は、動作中のタスクを実行する「回路を有する」ことを一般的に意味する広範な説明であってもよい。このように、構成要素は、現在オンでなくても、そのタスクを実行するように構成することができる。一般に、「ように構成されている」に対応する構造を形成する回路は、ハードウェア回路を含んでもよい。
【００３７】
本明細書の記載では、便宜上、タスク（単数及び複数）を実行するとして様々な構成要素を説明することができる。そのような説明は、語句「ように構成されている」を含むように解釈されるべきである。１つ以上のタスクを実行するように構成されている構成要素の説明は、米国特許法１１２条第６パラグラフのその構成要素についての解釈を引き起こさないことが、明確に意図されている。
図１及び図２−例示的な通信システム
【００３８】
図１は、いくつかの実施形態による、本開示の態様を実装することができる例示的な（かつ簡略化した）無線通信システムを示す。図１のシステムは、可能なシステムの単なる一例であり、実施形態は、要望に応じて、様々なシステム内のいずれかにおいて実装されてもよいことに留意されたい。
【００３９】
図示するように、例示的な無線通信システムは、伝送媒体を介して１つ以上の（例えば、任意の数の）ユーザデバイス１０６Ａ、１０６Ｂなど〜１０６Ｎと通信する基地局１０２を含む。本明細書では、ユーザデバイスの各々は「ユーザ機器」（ＵＥ）又はＵＥデバイスと称され得る。よって、ユーザデバイス１０６は、ＵＥ又はＵＥデバイスと称される。
【００４０】
基地局１０２は、無線基地局装置（ＢＴＳ）又はセルサイトであってよく、ＵＥ１０６Ａ〜１０６Ｎとの無線通信を可能にするハードウェア及び／又はソフトウェアを含んでもよい。基地局１０２がＬＴＥのコンテキストにおいて実装される場合、それを代わりに、「ｅＮｏｄｅＢ」又は「ｅＮＢ」と称してもよい。基地局１０２が５Ｇ  ＮＲのコンテキストにおいて実装される場合、それを代わりに、「ｇＮｏｄｅＢ」又は「ｇＮＢ」と称してもよい。また、基地局１０２は、ネットワーク１００（例えば、様々な可能性のうち、セルラサービスプロバイダのコアネットワーク、公衆交換電話網（ＰＳＴＮ）などの電気通信ネットワーク、及び／又はインターネット）と通信するために装備されていてもよい。したがって、基地局１０２は、ユーザデバイス間の通信、及び／又はユーザデバイスとネットワーク１００との間の通信を円滑にすることができる。基地局の通信エリア（又は、カバレッジエリア）を「セル」と称してもよい。また本明細書で使用する場合、ＵＥの観点から、基地局は、ＵＥのアップリンク通信及びダウンリンク通信に関する限り、ネットワークを表すと考えられる場合がある。したがって、ネットワーク内の１つ以上の基地局と通信するＵＥは、ネットワークと通信するＵＥと解釈されてもよい。
【００４１】
基地局１０２及びユーザデバイスは、無線通信技術とも呼ばれる様々な無線アクセス技術（ＲＡＴ）、又はＧＳＭ、ＵＭＴＳ（ＷＣＤＭＡ、ＴＤ−ＳＣＤＭＡ）、ＬＴＥ、ＬＴＥ−Ａｄｖａｎｃｅｄ（ＬＴＥ−Ａ）、ＬＡＡ／ＬＴＥ−Ｕ、５Ｇ  ＮＲ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸなどの遠隔通信標準のいずれかを使用して伝送媒体上で通信するように構成されていてもよい。
【００４２】
したがって、基地局１０２と同一の又は異なるセルラ通信標準に従って動作する同様の他の基地局は、１つ以上のセルラ通信標準を介して地理的エリアにわたって連続した又は、ほぼ連続したオーバーラップするサービスをＵＥ１０６及び同様のデバイスに提供し得る、セルの１つ以上のネットワークとして提供され得る。
【００４３】
ＵＥ１０６は、複数の無線通信標準を使用して通信する能力を有することができることに留意されたい。例えば、ＵＥ１０６は、３ＧＰＰセルラ通信標準又は３ＧＰＰ２セルラ通信標準のいずれか又は両方を使用して通信するように構成されることもある。いくつかの実施形態では、ＵＥ１０６は、少なくとも本明細書に記載される様々な方法に従って、アップリンク制御情報のためのモジュラー制御チャネルフォーマットを使用してセルラ通信を実行するように構成されていてもよい。ＵＥ１０６は、更に又は代替的に、ＷＬＡＮ、ＢＬＵＥＴＯＯＴＨ（登録商標）、１つ以上のグローバルナビゲーション衛星システム（ＧＮＳＳ、例えばＧＰＳ又はＧＬＯＮＡＳＳ）、１つ及び／又は複数の移動体テレビ放送標準（例えばＡＴＳＣ−Ｍ／Ｈ又はＤＶＢ−Ｈ）などを使用して通信するように構成されていることもある。無線通信標準の他の組み合わせ（３つ以上の無線通信標準を含む）も可能である。
【００４４】
図２は、いくつかの実施形態による、基地局１０２と通信する例示的なユーザ機器１０６（例えば、デバイス１０６Ａ〜１０６Ｎのうちの１つ）を示す。ＵＥ１０６は、携帯電話、ハンドヘルドデバイス、ウェアラブルデバイス、コンピュータ又はタブレット、若しくは実質的に任意の種類の無線デバイスなどの、無線ネットワーク接続性を有するデバイスであってもよい。ＵＥ１０６は、メモリに記憶されたプログラム命令を実行するように構成されたプロセッサを含んでもよい。ＵＥ１０６は、そのような記憶された命令を実行することによって、本明細書で説明される方法の実施形態のいずれかを実行してもよい。代わりに、又は加えて、ＵＥ１０６は、本明細書で説明される方法の実施形態のいずれか、又は本明細書で説明される方法の実施形態のいずれかの任意の部分を実行するように構成された、ＦＰＧＡ（フィールドプログラマブルゲートアレイ）などのプログラム可能なハードウェア要素を含んでもよい。ＵＥ１０６は、複数の無線通信プロトコルのいずれかを使用して通信するように構成されていてもよい。例えば、ＵＥ１０６は、ＣＤＭＡ２０００、ＬＴＥ、ＬＴＥ−Ａ、５Ｇ  ＮＲ、ＷＬＡＮ、又はＧＮＳＳのうちの２つ以上を使用して通信するように構成されていてもよい。無線通信標準の他の組み合わせも可能である。
【００４５】
ＵＥ１０６は、１つ以上のＲＡＴ標準に従った無線通信プロトコルの１つ以上を使用して通信するための１つ以上のアンテナを含んでもよい。いくつかの実施形態では、ＵＥ１０６は、複数の無線通信標準間で、受信チェーン及び／又は送信チェーンの１つ以上の部分を共用してもよい。共用される無線機（shared radio）は、無線通信を実行するための、単一のアンテナを含んでもよいし、（例えばＭＩＭＯ用の）複数のアンテナを含んでもよい。概して、無線機は、ベースバンドプロセッサ、アナログＲＦ信号処理回路（例えば、フィルタ、ミキサ、発振器、増幅器などを含む）、又はデジタル処理回路（例えば、デジタル変調と共に他のデジタル処理のための）の任意の組み合わせを含んでもよい。同様に、無線機は、上述したハードウェアを使用して１つ以上の受信チェーン及び送信チェーンを実装してもよい。
【００４６】
いくつかの実施形態では、ＵＥ１０６は、それを用いて通信するように構成されている各無線通信プロトコルについて別の送信チェーン及び／又は受信チェーン（例えば、別個のアンテナ及び他の無線機構成要素を含む）を含んでもよい。別の可能性として、ＵＥ１０６は、複数の無線通信プロトコルの間で共有される１つ以上の無線機、及び単一の無線通信プロトコルによって排他的に使用される１つ以上の無線機を含み得る。例えば、ＵＥ１０６は、ＬＴＥ又はＣＤＭＡ２０００  １ｘＲＴＴ（又はＬＴＥ若しくはＧＳＭ）のいずれかを用いて通信するための共用無線機と、Ｗｉ−Ｆｉ及びＢＬＵＥＴＯＯＴＨ（登録商標）の各々を使用して通信するための個別の無線機とを含んでもよい。他の構成も可能である。
図３−例示的なＵＥデバイスのブロック図
【００４７】
図３は、いくつかの実施形態による、例示的なＵＥ１０６のブロック図を示す。図示するように、ＵＥ１０６は、様々な目的用の部分を含んでもよい、システムオンチップ（ＳＯＣ）３００を含んでもよい。例えば、図示するように、ＳＯＣ３００は、ＵＥ１０６用のプログラム命令を実行し得るプロセッサ（単数又は複数）３０２、及び、グラフィック処理を実行し表示信号をディスプレイ３６０へ供給し得る表示回路３０４を含んでもよい。プロセッサ（単数又は複数）３０２はまた、プロセッサ（単数又は複数）３０２からアドレスを受信し、それのアドレスをメモリ（例えば、メモリ３０６、読み出し専用メモリ（ＲＯＭ）３５０、ＮＡＮＤフラッシュメモリ３１０）内の場所に変換するように構成されていてもよいメモリ管理ユニット（ＭＭＵ）３４０に、及び／又は表示回路３０４、無線機３３０、コネクタＩ／Ｆ３２０、及び／又はディスプレイ３６０などの他の回路又はデバイスに結合されてもよい。ＭＭＵ３４０は、メモリ保護及びページテーブル変換又はセットアップを実行するように構成されてもよい。いくつかの実施形態では、ＭＭＵ３４０は、プロセッサ（単数又は複数）３０２の一部として含まれてもよい。
【００４８】
図示するように、ＳＯＣ３００は、ＵＥ１０６の様々な他の回路に結合されてもよい。例えば、ＵＥ１０６は、（例えばＮＡＮＤフラッシュ３１０を含む）様々な種類のメモリ、（例えばコンピュータシステムと接続するための）コネクタインタフェース３２０、ディスプレイ３６０、及び（例えばＬＴＥ、ＬＴＥ−Ａ、ＮＲ、ＣＤＭＡ２０００、ＢＬＵＥＴＯＯＴＨ（登録商標）、Ｗｉ−Ｆｉ、ＧＰＳなどのための）無線通信回路３３０を含んでもよい。ＵＥデバイス１０６は、基地局及び／又は他のデバイスと無線通信を実行するための、少なくとも１つのアンテナ（例えば３３５ａ）を、及び場合によっては複数のアンテナ（例えばアンテナ３３５ａ及び３３５ｂによって図示される）を含んでもよい。アンテナ３３５ａ及び３３５ｂは一例として示されており、ＵＥデバイス１０６はより少ない、又はより多くのアンテナを含んでもよい。全般的には、それら１つ以上のアンテナは、アンテナ３３５と総称される。例えば、ＵＥデバイス１０６は、無線回路３３０を使用して無線通信を実行するために、アンテナ（単数又は複数）３３５を使用してもよい。上述のように、いくつかの実施形態では、ＵＥは複数の無線通信標準を使用して無線で通信するように構成されていてもよい。
【００４９】
本明細書で更に引き続き説明するように、ＵＥ１０６（及び／又は基地局１０２）は、少なくともＵＥ１０６がアップリンク制御情報のためのモジュラー制御チャネルフォーマットを使用してセルラ通信を実行する方法を実装するためのハードウェア構成要素及びソフトウェア構成要素を含み得る。ＵＥデバイス１０６のプロセッサ（単数又は複数）３０２は、例えば記憶媒体（例えば非一時的コンピュータ可読記憶媒体）に記憶されたプログラム命令を実行することにより、本明細書に記載される方法の一部、又は全部を実装するように構成されていてもよい。他の実施形態では、プロセッサ（単数又は複数）３０２は、ＦＰＧＡ（フィールドプログラマブルゲートアレイ）、又はＡＳＩＣ（特定用途向け集積回路）などのプログラム可能なハードウェア要素として構成されていてもよい。更に、プロセッサ（単数又は複数）３０２は、本明細書に開示される様々な実施形態によるアップリンク制御情報のためのモジュラー制御チャネルフォーマットを使用してセルラ通信を実行するために、図３に示すように、他の構成要素と結合されていてもよく、かつ／又は他の構成要素と相互運用されてもよい。プロセッサ（単数又は複数）３０２はまた、ＵＥ１０６上で動作する様々な他のアプリケーション及び／又はエンドユーザアプリケーションを実装してもよい。
【００５０】
いくつかの実施形態では、無線機３３０は様々なそれぞれのＲＡＴ標準のための通信制御に専用の別個のコントローラを含んでもよい。例えば、図３に示すように、無線機３３０は、Ｗｉ−Ｆｉコントローラ３５２、セルラコントローラ（例えばＮＲコントローラ）３５４、及びＢＬＵＥＴＯＯＴＨ（登録商標）コントローラ３５６を含んでもよく、少なくともいくつかの実施形態では、これらのコントローラの１つ以上又は全部が、互いに通信する、及びＳＯＣ３００と（より具体的にはプロセッサ（単数又は複数）３０２と）通信する、それぞれの集積回路（略してＩＣ又はチップ）として実装されてもよい。例えば、Ｗｉ−Ｆｉコントローラ３５２はセル−ＩＳＭリンク又はＷＣＩインタフェースを介してセルラコントローラ３５４と通信してもよく、及び／又はＢＬＵＥＴＯＯＴＨ（登録商標）コントローラ３５６はセル−ＩＳＭリンクなどを介してセルラコントローラ３５４と通信してもよい。無線機３３０内には３つの個別のコントローラが示されているが、他の実施形態は、ＵＥデバイス１０６において実装され得る様々な異なるＲＡＴのための、より少ない又はより多くの同様のコントローラを有する。
【００５１】
更に、コントローラが複数の無線アクセス技術に関連する機能を実装することができる実施形態も想定される。例えば、いくつかの実施形態によると、セルラコントローラ３５４は、セルラ通信を実行するためのハードウェア及び／又はソフトウェア構成要素に加えて、Ｗｉ−Ｆｉプリアンブル検出を実行するための、例えば、ＵＥ１０６による、アンライセンススペクトルにおいて可能な通信に関連する可能性がある非ライセンス周波数帯域で送信されたＷｉ−Ｆｉ物理層プリアンブルを検出するための、ハードウェア構成要素及び／又はソフトウェア構成要素を含み得る。別の可能性として、セルラコントローラ３５４は、Ｗｉ−Ｆｉ物理層プリアンブル信号を生成するための、例えば、非ライセンス周波数帯域で発生する、ＵＥ１０６によるアップリンク通信の一部として送信するための、ハードウェア構成要素及び／又はソフトウェア構成要素を含んでもよい。
図４−例示的な基地局のブロック図
【００５２】
図４は、いくつかの実施形態による、例示的な基地局１０２のブロック図を示す。図４の基地局は、可能な基地局の１つの実施例にすぎないことに留意されたい。図示するように、基地局１０２は、基地局１０２に対してプログラム命令を実行することができるプロセッサ（単数又は複数）４０４を含んでもよい。プロセッサ（単数又は複数）４０４はまた、プロセッサ（単数又は複数）４０４からアドレスを受信し、それらのアドレスをメモリ（例えば、メモリ４６０及び読み出し専用メモリ（ＲＯＭ）４５０）又は他の回路若しくはデバイス内の場所に変換するように構成されてもよいメモリ管理ユニット（ＭＭＵ）４４０に結合されてもよい。
【００５３】
基地局１０２は、少なくとも１つのネットワークポート４７０を含んでもよい。ネットワークポート４７０は、電話ネットワークに結合し、図１及び図２において上記説明したようなＵＥデバイス１０６などの複数のデバイスに、電話ネットワークへのアクセスを提供するように構成されていてもよい。ネットワークポート４７０（又は、追加のネットワークポート）は加えて又は代わりに、セルラネットワーク、例えば、セルラサービスプロバイダのコアネットワークに結合するように構成されていてもよい。コアネットワークは、ＵＥデバイス１０６などの複数のデバイスに、モビリティ関連サービス及び／又は他のサービスを提供することができる。いくつかのケースでは、ネットワークポート４７０は、コアネットワークを介して電話ネットワークに結合してもよく、及び／又はコアネットワークは、（例えば、セルラサービスプロバイダによってサービスされる他のＵＥデバイス間に）電話ネットワークを提供してもよい。
【００５４】
基地局１０２は、少なくとも１つのアンテナ４３４、場合によっては、複数のアンテナを含んでもよい。アンテナ（単数又は複数）４３４は、無線送受信機として動作するように構成されていてもよく、無線機４３０によって、ＵＥデバイス１０６と通信するように更に構成されていてもよい。アンテナ（単数又は複数）４３４は、通信チェーン４３２を介して、無線機４３０と通信する。通信チェーン４３２は、受信チェーン、送信チェーン、又はその両方であってもよい。無線機４３０は、ＮＲ、ＬＴＥ、ＬＴＥ−Ａ、ＷＣＤＭＡ、ＣＤＭＡ２０００などを含むがこれに限定されない、様々な無線電気通信標準を介して通信するように設計されてもよい。基地局１０２のプロセッサ４０４は、例えば、記憶媒体（例えば、非一時的コンピュータ可読記憶媒体）に記憶されたプログラム命令を実行することによって、本明細書で説明される方法のうちの一部又は全てを実装する及び／又は実装をサポートするように構成されていてもよい。代わりに、プロセッサ４０４は、ＦＰＧＡ（フィールドプログラマブルゲートアレイ）などのプログラム可能なハードウェア要素として、若しくはＡＳＩＣ（特定用途向け集積回路）として、又はそれらの組み合わせとして構成されていてもよい。所定のＲＡＴ、例えばＷｉ−Ｆｉの場合、基地局１０２はアクセスポイント（ＡＰ）として設計されてもよく、この場合ネットワークポート４７０は、ワイドエリアネットワーク（単数又は複数）及び／又はローカルエリアネットワーク（単数又は複数）へのアクセスを提供するように実装されてもよく、例えば、少なくとも１つのイーサネット（登録商標）ポートを含んでもよく、無線機４３０は、Ｗｉ−Ｆｉ標準に従って通信するように設計されてもよい。基地局１０２は、無線デバイスがアップリンク制御情報のためのモジュラー制御チャネルフォーマットを使用してセルラ通信を実行するための、本明細書に開示される様々な方法に従って動作し得る。
図５−アップリンク制御情報のためのモジュラー制御チャネルフォーマット
【００５５】
図５は、いくつかの実施形態による、無線デバイス（例えば、セルラ基地局又は無線ユーザ機器（ＵＥ）デバイス）が、アップリンク制御情報のためのモジュラー制御チャネルフォーマットを使用してセルラ通信を実行するための方法を示すフローチャート図である。
【００５６】
図５の方法の態様は、本明細書中の様々な図に例示され、それら図に関して説明されているＵＥ１０６及びＢＳ１０２などの無線デバイス及びセルラ基地局によって、又は、より一般的には、必要に応じて、他のデバイスのうち上述の図に示されるコンピュータシステム若しくはデバイスのいずれかと併せて実装することができる。図５の方法の少なくともいくつかの要素は、ＮＲ規格及び／又は３ＧＰＰ規格と関連する通信の技術及び／又は特徴の使用に関係するように記載されているが、このような説明は、本開示を限定することを意図するものではなく、図５の方法の態様は、必要に応じて、任意の好適な無線通信システムにおいて使用され得ることに留意されたい。様々な実施形態では、図示された方法の要素のうちのいくつかを同時に実行してもよく、図示されたものとは異なる順序で実行してもよく、他の方法要素によって置換されてもよく、又は省略してもよい。要望に応じて、追加の方法要素も実行されてもよい。図示するように、図５の方法は、以下のように動作し得る。
【００５７】
５０２において、ＵＥはアップリンク通信のためのスロット構造を判定することができる。スロット構造は、少なくとも２つの可能なスロット構造から（例えば、ＵＥにサービスを提供するセルラ基地局によって）選択することができる。例えば、少なくともいくつかの実施形態によると、最大６０ｋＨｚのサブキャリア間隔構成に対して、ＮＲに従って７シンボルスロット構造又は１４シンボルスロット構造を採用することが可能であり得る。
【００５８】
ＵＥは、様々な方法のうちのいずれかにおいて、どのスロット構造が使用されているかを判定することができる。１つの可能性として、スロット構造は、ブロードキャストシステム情報内のＵＥのサービング基地局によって指示されてもよい。別の可能性として、スロット構造は、ＵＥのサービング基地局によって、次回の通信スロットをスケジュールするダウンリンク制御情報内で指示されてもよい。所望に応じて、他の技術を使用してもよい。
【００５９】
いくつかの実施形態によると、ＵＥは更に、アップリンク通信のためのスロットタイプ／フォーマットを判定してもよい。例えば、アップリンク中心（uplink centric）の通信スロット（例えば、ほとんどはアップリンクシンボルを提供するが、ダウンリンク制御情報を提供するため及び／又は他の目的のために少なくとも１つのダウンリンクシンボルも提供する）、及びアップリンクのみ（uplink only）の通信スロット（例えば、アップリンクシンボルのみを提供する）などの、複数の可能な種類のアップリンク通信スロットがあり得る。いくつかの例では、ダウンリンク中心の通信スロットタイプもあり得る（例えば、ほとんどはダウンリンクシンボルを提供するが、アップリンク制御情報を提供するため及び／又は他の目的のために少なくとも１つのアップリンクシンボルも提供する）。アップリンク通信スロットの各々のスロットタイプ／フォーマットは、（例えば、いくつかの実施形態によると、アップリンク中心のスロットの場合は同じスロット内において、又は、アップリンクのみのスロットの場合は前のスロット内において）サービング基地局によって提供されるダウンリンク制御情報に少なくとも部分的に基づいて、ＵＥによって判定され得る。
【００６０】
例えば、基地局は、基地局によってサービスが提供される１つ以上の無線デバイス（例えば、ＵＥ１０６を含む）と通信するためのやがて起きるアップリンク及び／又はダウンリンク送信スロットを時々又は連続的にスケジュールしてもよい。少なくともいくつかの実施形態によると、アップリンク送信スロット及びダウンリンク送信スロットは、複数の可能なアップリンク送信スロットタイプ及び複数の可能なダウンリンク送信スロットタイプから選択されてもよい。例えば、複数の可能なアップリンク送信スロットタイプは、１つの可能性として、前述のアップリンクのみの送信スロット及びアップリンク中心の送信スロットを含んでもよく、一方で、複数の可能なダウンリンク送信スロットタイプは、ダウンリンクのみの送信スロット及び前述のダウンリンク中心の送信スロットを含んでもよい。
【００６１】
アップリンク送信スロットタイプ及びダウンリンク送信スロットタイプは、ＢＳ１０２によって、様々な可能な理由のうちのいずれかのために、複数の可能なアップリンク送信スロットタイプ及び複数の可能なダウンリンク送信スロットタイプから動的に選択されてもよい。選択するスロットタイプに融通性があることにより、ＢＳ１０２は、例えば、基地局によってサービスが提供される各無線デバイスに対する基地局において、どのくらいの量のダウンリンクデータがバッファされるか、基地局によってサービスが提供される各無線デバイスにおいて、どのくらいの量のアップリンクデータがバッファされるか（例えば、これらの無線デバイスから受信したバッファステータスレポートに基づいてＢＳ１０２によって知ることができる）、及び／又は様々な他の可能な考察のいずれかを考慮して、効率的な方法で送信スロットをスケジュールすることが可能になり得る。
【００６２】
ＢＳ１０２及びＵＥ１０６（並びに、ＢＳ１０２、及び場合により、ＢＳ１０２によってサービスが提供される１つ以上の他の無線デバイス）は、スケジュールされたアップリンク送信スロット及び／又はダウンリンク送信スロットに従って無線通信を実行してもよい。５０４において、例えば、ＵＥとＢＳとの間の無線通信の一部として、ＵＥは１つ以上のアップリンク制御チャネルモジュールを介してＢＳにアップリンク制御情報を送信することができる。所与のスロット内で使用されるアップリンク制御チャネルモジュールの数は、例えば、スロット内に何個のシンボルが含まれるかを含む、スロット構造に依存し得る。例えば、７シンボルスロット構造を有するスロットでは、１つのアップリンク制御チャネルモジュールが使用され得る。１４シンボルスロット構造を有するスロットでは、２つのアップリンク制御チャネルモジュールが使用され得る。
【００６３】
所与のスロット内のアップリンク制御チャネルモジュール（単数又は複数）の構造は、少なくともいくつかの場合には、そのスロットのスロットタイプに更に依存し得る。例えば、アップリンク中心のスロットでは、アップリンクのみのスロットよりもスロット当たりのアップリンクシンボルが少ない場合があり、より少ないシンボルを有するアップリンク制御チャネルモジュール構造は、アップリンクのみのスロットタイプを有するスロットよりもアップリンク中心のスロットタイプを有するスロットに使用され得る。１つの可能性として、アップリンク制御チャネルモジュール構造は、５シンボルアップリンク制御チャネルモジュール（例えば、アップリンク中心のスロットタイプに使用され得る）、又は７シンボルアップリンク制御チャネルモジュール（例えば、アップリンクのみのスロットタイプに使用され得る）から選択されてもよい。代わりに、スロットタイプにかかわらず、１つのアップリンク制御チャネルモジュール構造が使用され得る。例えば、５シンボルアップリンク制御チャネルモジュールは、１つの可能性として、アップリンク中心のスロットタイプ及びアップリンクのみのスロットタイプの両方に使用され得る。他のアップリンク制御モジュール構造を併せて又は代替的に使用してもよく、及び／又は所望に応じて、アップリンク制御モジュール構造を異なるように選択してもよいことに留意されたい。
【００６４】
更に、ＵＥは、所定のフレームに対してアップリンク制御情報を送信するために使用されるアップリンク制御チャネルモジュール（単数又は複数）のフォーマットを判定してもよい。フォーマットは、複数の可能なフォーマットから選択されてもよく、フォーマットは、アップリンク制御チャネルモジュールのシンボルのうちの何個が基準信号に使用され、シンボルのうちの何個がデータビット（例えば、アップリンク制御情報）に使用されるかに関して、及び／又は、アップリンク制御チャネルモジュールのうちのどのシンボルが基準信号に使用され、どのシンボルがデータビットに使用されるかに関して、異なる場合がある。ＵＥは、提供されるアップリンク制御情報の量（例えば、ＡＣＫ／ＮＡＣＫ情報のみが提供されるのか、又は更にチャネル品質インジケータ（ＣＱＩ）／チャネル状態情報（ＣＳＦ）、及び／又は他の制御情報が提供されるのか）、（例えば、チャネル状態が劣る場合は、より高いパイロット対データ比が望ましい場合があるので）現在のチャネル状態、及び／又は様々な他の可能なファクタ、を場合により含む（しかしこれに限定されない）様々な考慮事項のいずれかに基づいて、どのフォーマットを使用するかを判定してもよい。
【００６５】
いくつかの例では、図５に関して主に説明されているような、複数のシンボルにわたるモジュラー制御チャネル構造／フォーマットを利用する「ロングフォーマット」アップリンク制御チャネルを使用してもよいが、いくつかの例では、「ショートフォーマット」アップリンク制御チャネルを、更に又は代替的に利用するようにＵＥを構成することも可能であり得ることに留意されたい。例えば、いくつかの実施形態によると、ダウンリンク中心のスロットタイプ（例えば、比較的少数のアップリンクシンボルを含み得る）と共に、及び／又は、より高いリンクバジェットを有するＵＥ（例えば、したがって、より小型のアップリンク制御チャネルが好適であり得る）に対して、１つだけ（又は少数）のシンボルにわたるアップリンク制御チャネルが使用されてもよい。
図６〜図１１−５Ｇ  ＮＲ用の例示的な可能なロングフォーマット物理アップリンク制御チャネル設計
【００６６】
図６〜図１１及び以下の情報は、図５の方法に関する更なる考察及び可能な実装形態を例示するものとして提供され、本開示全体を限定することを意図していない。以下の本明細書で提供される詳細に対して多数の変形形態及び代替形態が、可能であり、本開示の範囲内と考えられるべきである。
【００６７】
いくつかの実施形態によると、５Ｇ  ＮＲは、アップリンク制御チャネルのための複数のフォーマットをサポートし得る。これらは、例えば、スロットの最後に送信されたアップリンクシンボル（単数又は複数）内で又はその近傍で送信され得るショートデュレーション（short duration）フォーマットと、例えば、例えばカバレッジを改善ためにスロットの複数のアップリンクシンボルにわたって送信され得るロングデュレーションフォーマットと、を含み得る。いくつかの実施形態によると、ショートフォーマットは、より速いアップリンク制御フィードバックを提供することができる一方で、ロングフォーマットは、リンクバジェットの最適化及びカバレッジに役立ち得る。
【００６８】
ロングフォーマットについては、離散フーリエ変換拡散直交周波数分割多重方式（ＤＦＴ−Ｓ−ＯＦＤＭ）が、例えば、低ピーク対平均パワー（ＰＡＰＲ）に対してサポートされ得る場合であり得る。例えば、複数の送信アンテナが、ロングフォーマットアップリンク制御チャネル用の制御信号送信と併せて使用され得るように、送信ダイバーシティもまたサポートされ得る。加えて、少なくともいくつかの例では、スロット内（intraslot）周波数ホッピングもサポートされ得、及び／又は基準信号とアップリンク制御情報との間の時分割多重化が（例えば、少なくともＤＦＴ−Ｓ−ＯＦＤＭのために）サポートされ得る。
【００６９】
図６は、いくつかの実施形態による、５Ｇ  ＮＲで使用され得る様々な例示的な可能なスロットタイプ／フォーマットを示す。図示するように、スロットフォーマットは、ダウンリンク中心のスロット（例えば、スロット６１０、６４０）、アップリンク中心のスロット（例えば、スロット６２０、６５０）、ダウンリンクのみのスロット（例えば、スロット６３０）、及びアップリンクのみのスロット（例えば、スロット６６０）を含み得る。
【００７０】
いくつかの実施形態によると、ダウンリンク中心のスロットフォーマットは、単一スロット内のダウンリンクデータに対する、ダウンリンク制御情報及びデータ、並びにアップリンク制御情報（例えば、ＨＡＲＱ  ＡＣＫ／ＮＡＣＫ）の両方を含み得る。アップリンク中心のスロットフォーマットは、単一のスロット内に、ダウンリンク制御情報（例えばスケジューリング情報、及び、場合により、例えば以前のアップリンクデータに対するダウンリンクＨＡＲＱ  ＡＣＫ／ＮＡＣＫ）、並びにアップリンクデータ及び制御情報を含み得る。ダウンリンクのみのスロットフォーマットは、ダウンリンクデータ、及び場合によってはダウンリンク制御情報を含み得る。同様に、アップリンク一方向スロットフォーマットは、アップリンクデータ及び場合によってはアップリンク制御情報を含み得る。
【００７１】
図示するように、ダウンリンク中心のスロットは、ダウンリンク部分とアップリンク部分との間のスイッチングギャップ（例えば、１／２シンボル、１シンボルなど）を有して、（例えば、ＮＲ物理ダウンリンク制御チャネル（ＮＲ−ＰＤＣＣＨ）を介して）ダウンリンク制御情報を提供するための部分（例えば、１つ又は比較的少数のシンボル）と、（例えば、ＮＲ物理ダウンリンク共有チャネル（ＮＲ−ＰＤＳＣＨ）を介して）ダウンリンクデータを提供するための部分（例えば、スロットのシンボルの大部分）と、アップリンク制御情報のための部分（１つ又は比較的少数のシンボル（例えば、ＮＲ物理アップリンク制御チャネル（ＮＲ−ＰＵＣＣＨ））のショートフォーマットバージョンと、を含み得る。
【００７２】
図示するように、アップリンク中心のスロットは、ダウンリンク部分とアップリンク部分との間のスイッチングギャップを有して、例えば、ＮＲ−ＰＤＣＣＨを介してダウンリンク制御情報を提供するための部分（例えば、１つ又は比較的少数のシンボル）と、アップリンクデータ（例えば、ＮＲ物理アップリンク共有チャネル（ＮＲ−ＰＵＳＣＨ）及び／又はアップリンク制御情報を（例えば、ＮＲ−ＰＵＣＣＨのロングフォーマットバージョンを介して）提供するための部分（例えば、スロットのシンボルの大部分）と、を含み得る。
【００７３】
例示されたスロットフォーマットを使用して、例えば、様々な可能性の中で、アップリンク中心のスロットに、続いて１つ以上のアップリンクのみのスロットをスケジュールすることによって、及び／又は、１つ以上のダウンリンクのみのスロットに、続いてダウンリンク中心のスロットをスケジュールすることによって、スロットアグリゲーションを提供することが可能であり得ることに留意されたい。例えば、図示するように、ダウンリンクのみのスロット６３０は、スロットフォーマットを示し得るＮＲ−ＰＤＣＣＨのためのシンボルを含んでもよく、更に、追加で何個のダウンリンクのみスロット及び／又はダウンリンク中心のスロットが、最初の一方向ダウンリンクスロット（例えば、示された例では、ダウンリンク中心のスロット６４０）に続くかという指示を含んでもよく、及び／又は、（例えば、示された例では、ダウンリンクのみのスロット６３０に続くダウンリンク中心のスロット６４０において）ダウンリンクスロット（単数又は複数）に対してアップリンクＨＡＲＱ  ＡＣＫ／ＮＡＣＫ情報をいつ送信するかという指示を含み得る。この場合、アグリゲートされたスロットのうちの１つ以上の中のＮＲ−ＰＤＣＣＨを、第１のアグリゲートされたスロットの後にスキップすることが可能であり得る。
【００７４】
少なくともいくつかの実施形態によると、同様に、アップリンクスロットアグリゲーションについては、アップリンクのみのフォーマットを使用するようにスケジュールされた任意のスロットの指示は、スケジュールされたアップリンクのみのスロット（単数又は複数）の前に、例えば、ダウンリンク中心の（又は場合により、ダウンリンクのみの、又はアップリンク中心の）スロットを使用して提供されてもよい。例えば、図示するように、アップリンク中心のスロット６５０はアップリンクのみのスロット６６０の前に提供されてもよく、スロットフォーマットを示してもよく、更に追加で何個のアップリンクのみのスロットが第１のアップリンク中心のスロットに続くかに関する指示を含んでもよい（例えば、示された例では、アップリンクのみのスロット６６０）。
【００７５】
スロットフォーマットの一部又は全てについては、複数の可能なスロット構造が更に存在し得る。例えば、１つの可能性として、スロットは（例えば、少なくとも、最大６０ｋＨｚのサブキャリア間隔に対して）１４個のシンボルを含んでもよく、又は７個のシンボルを含んでもよい。それに応じて、異なるスロット構造をサポートし、様々な設計特徴（例えば、ＤＦＴ−Ｓ−ＯＦＤＭサポート、トランスポートダイバーシティサポート、スロット内周波数ホッピング、及び／又はＲＳ及びＵＣＩのＴＤＭ）を提供できる、多数の制御チャネルフォーマットに依存しない、堅牢でスケーラブルなチャネル設計を、ロングフォーマットＮＲ−ＰＵＣＣＨ用に提供することが望ましい場合がある。換言すれば、少なくともいくつかの例では、ロングデュレーション制御チャネルのためのモジュラー設計が望ましい場合がある。
【００７６】
７シンボルスロット構造又は１４シンボルスロット構造が可能であり、少なくともアップリンク中心のスロットフォーマット及びアップリンクのみのスロットフォーマットが可能なシステムでは、１つの可能性として、７シンボルスロットは、（例えば、アップリンク中心のスロットについて）ＤＣＩ用の１個のシンボル＋５個のアップリンクシンボル＋１個のガードシンボル、又は（例えば、アップリンクのみのスロットについて）７個のアップリンクシンボルのいずれかを含んでもよく、あるいは１４シンボルスロットは、（例えば、アップリンク中心のスロットについて）ＤＣＩ用の２〜３個のシンボル＋１０〜１１個のアップリンクシンボル＋１個のガードシンボル、又は（例えば、アップリンクのみのスロットに対して）１４個のアップリンクシンボルを含んでもよい。このようなシステムでは、アップリンク制御チャネルモジュールの１つの可能性は、５シンボルのＮＲ−ＰＵＣＣＨモジュール及び７シンボルのＮＲ  ＰＵＣＣＨモジュールを提供することを含み得る。
【００７７】
図７は、アップリンク中心のスロットフォーマット及びアップリンクのみのスロットフォーマットのための、７シンボルスロット構造における、そのようなＮＲ−ＰＵＣＣＨモジュールの可能な使用を示す。図示するように、アップリンク中心のスロットフォーマットについては、１つの５シンボルＰＵＣＣＨモジュールが含まれていてもよく、一方、アップリンクのみのスロットフォーマットについては、１つの７シンボルＰＵＣＣＨモジュールが含まれていてもよい。
【００７８】
図８は、アップリンク中心のスロットフォーマット及びアップリンクのみのスロットフォーマットのための、１４シンボルスロット構造における、そのようなＮＲ−ＰＵＣＣＨモジュールの可能な使用を示す。図示するように、アップリンク中心のスロットフォーマットについては、２つの５シンボルＰＵＣＣＨモジュールが含まれていてもよく、一方、アップリンクのみのスロットフォーマットについては、２つの７シンボルＰＵＣＣＨモジュールが含まれていてもよい。どちらの場合も、例えば、第１のＰＵＣＣＨモジュールが第２のＰＵＣＣＨモジュールとは異なるサブキャリアを使用して提供されるように、スロット内周波数ホッピングが使用されてもよい。
【００７９】
図７〜図８に示す例示的なシナリオは、本開示全体を限定することを意図しておらず、そのようなスロット構造と併せて、ＮＲ−ＰＵＣＣＨモジュールを使用する多くの他の可能な方法もまた可能であることに留意されたい。そのような可能性の１つとして、アップリンク中心のスロットのアップリンク部分は、異なる数のシンボル（例えば、７シンボルスロットに対して４、６など、１４シンボルスロットに対して７、８、９、１２など）を含み得る。別のそのような可能性として、図８に示すように、１４シンボルスロット内のＰＵＣＣＨの２つのホッピングセグメントが異なるＮＲ−ＰＵＣＣＨモジュールであってもよいことに留意すべきである。例えば、第１のセグメントは１つの種類のモジュール（例えば、５シンボルのＮＲ−ＰＵＣＣＨモジュール）であってもよく、一方で、第２のセグメントは異なる種類のモジュール（例えば、７シンボルのＮＲ−ＰＵＣＣＨモジュール）であってもよい。別の例として、セグメントは、（例えば、モジュールタイプが同じであったとしても）、例えば、セグメント内のＲＳ比及び／又は場所が所与のスロットの２つのセグメント間で異なり得る、異なるフォーマットを有していてもよい。
【００８０】
例えば、ＰＵＣＣＨモジュール構造（例えば、５個のシンボル又は７個のシンボル）の各々について、複数のＰＵＣＣＨモジュールフォーマットから選択することが更に可能であり得る。図９は、５シンボルＰＵＣＣＨモジュール構造用の３つのそのような可能なフォーマットを（各々について複数のＲＳ／ＵＣＩパターンと共に）示す。図示するように、第１のフォーマット９１０は、より多くのＵＣＩビットを含んでＲＳ比はより低くてもよく（例えば、４個のシンボルがＵＣＩを搬送してもよく、一方で１個のシンボルがＲＳを搬送してもよい）、第２のフォーマット９２０は、より少ないＵＣＩビットを含んでＲＳ比はより高くてもよい（例えば、２個のシンボルがＵＣＩを搬送してもよく、一方で３個のシンボルがＲＳを搬送してもよい）。いずれの場合でも、偶数個のＵＣＩシンボルを提供することにより、単一の搬送波形を依然としてサポートしながら、空間時間ブロック符号（ＳＴＢＣ）を使用して単純な送信ダイバーシティが可能になる。中間の数のＵＣＩビット及びＲＳ比を含み得る第３のフォーマット９３０（例えば、３個のシンボルがＵＣＩを搬送してもよく、一方で２個のシンボルがＲＳを搬送してもよい）も示す。他のフォーマットも可能である。加えて、各フォーマットは、図示するように、様々なＲＳパターンをサポートすることが可能であり得る。これらは、フロントロードＲＳ（例えば、よりタイムラインフレンドリであり／ＢＳへのチャネル推定情報をより早く得ることができる）、分散ＲＳ（例えば、高ドップラーに対してより弾力的であり得る）、バックロードＲＳ（図示せず）、クラスタ化ＲＳなどを含み得る。
【００８１】
図１０は同様に、７シンボルＰＵＣＣＨモジュール構造用の３つのそのような可能なフォーマットを（各々について複数のＲＳ／ＵＣＩパターンと共に）示す。図示するように、第１のフォーマット１０１０は、より多くのＵＣＩビットを含んでＲＳ比はより低くてもよく（例えば、６個のシンボルがＵＣＩを搬送してもよく、一方で１個のシンボルがＲＳを搬送してもよい）、第２のフォーマット１０２０は、より少ないＵＣＩビットを含んでＲＳ比はより高くてもよい（例えば、４個のシンボルがＵＣＩを搬送してもよく、一方で３個のシンボルがＲＳを搬送してもよい）。これらのフォーマットにおいても、偶数個のＵＣＩシンボルを提供することにより、単一の搬送波形を依然としてサポートしながら、ＳＴＢＣを使用して単純な送信ダイバーシティが可能になる。ここでも、中間の数のＵＣＩビット及びＲＳ比を含み得る第３のフォーマット１０３０（例えば、５個のシンボルがＵＣＩを搬送してもよく、一方で２個のシンボルがＲＳを搬送してもよい）も示す。他のフォーマットも可能である。５シンボルＰＵＣＣＨモジュール構造と同様に、各フォーマットは図示するように、フロントロードＲＳ、分散ＲＳ、バックロードＲＳ、及び／又はクラスタＲＳを含むがこれらに限定されない、様々なＲＳパターンをサポートすることが可能であり得る。
【００８２】
更に、（例えば、５シンボルＰＵＣＣＨモジュール構造及び７シンボルＰＵＣＣＨモジュール構造に加えて又は代替として）、追加のＰＵＣＣＨモジュール構造も可能であり得る。そのような一例として、図１１は、いくつかの可能なＲＳ／ＵＣＩパターンを含む、可能な６シンボルＰＵＣＣＨモジュール構造を示す。図示するように、６シンボルのＰＵＣＣＨモジュール構造１１１０は、ＵＣＩを搬送する４個のシンボル及びＲＳを搬送する２個のシンボルを含み得る。本明細書で既に図示し説明したＰＵＣＣＨモジュール構造と同様に、そのような構造は、図示するように、フロントロードＲＳ、分散ＲＳ、バックロードＲＳ、及び／又はクラスタＲＳを含むがこれらに限定されない、様々なＲＳパターンをサポートすることが可能であり得る。
【００８３】
図示されたフォーマットはあくまで例として提供され、各フォーマットに対して、任意の数の追加の構造、フォーマット、及び／又はパターンが、所望に応じて、更に又は代替として使用され得ることに留意されたい。例えば、様々な可能性の中でも、様々なる数のシンボルを有する構造、様々なシンボルの順序を有するパターン、及び／又は様々なＵＣＩ対ＲＳ比を有するフォーマットを使用することができる。
【００８４】
更なる例示的な実施形態が以下に提供される。
【００８５】
実施形態の１つのセットは、無線デバイスによって、少なくとも第１のスロット構造及び第２のスロット構造からアップリンク通信のためのスロット構造を判定することであって、第１のスロット構造は、第２のスロット構造よりも少ない数のスロット当たりのシンボルを含む、ことと、アップリンク制御チャネルを介してアップリンク制御情報を送信することであって、アップリンク制御チャネルは、モジュラーであるフォーマットを有し、第１のスロット構造には１つのアップリンク制御モジュールが使用され、第２のスロット構造には２つのアップリンク制御モジュールが使用される、ことと、を含む方法を含み得る。
【００８６】
実施形態の別のセットは、無線デバイスによって、アップリンク通信のためのスロット構造を判定することであって、スロット構造は、少なくとも第１のスロット構造及び第２のスロット構造から選択される、ことと、スロット中において、１つ以上のアップリンク制御チャネルモジュールを介してアップリンク制御情報を送信することであって、スロット中にアップリンク制御情報が送信されるアップリンク制御チャネルモジュールの数は、アップリンク制御通信のためのスロット構造に少なくとも部分的に基づいている、ことと、を含む方法を含み得る。
【００８７】
いくつかの実施形態によると、第１のスロット構造は７シンボルスロットを含み、第２のスロット構造は１４シンボルスロット構造を含む。
【００８８】
いくつかの実施形態によると、方法は更に、無線デバイスによって、アップリンク通信のためのスロットタイプを判定することと、スロットタイプに少なくとも部分的に基づいて、アップリンク制御モジュールのためのアップリンク制御チャネルモジュール構造を判定することと、を含む。
【００８９】
いくつかの実施形態によると、スロットタイプは、少なくとも第１のアップリンクスロットタイプ及び第２のアップリンクスロットタイプから選択される。
【００９０】
いくつかの実施形態によると、第１のアップリンクスロットタイプはアップリンクのみのスロットタイプを含み、第２のアップリンクスロットタイプはアップリンク中心のスロットタイプを含む。
【００９１】
いくつかの実施形態によると、アップリンク制御チャネルモジュール構造は、少なくとも５シンボルアップリンク制御チャネルモジュール又は７シンボルアップリンク制御チャネルモジュールから選択される。
【００９２】
いくつかの実施形態によると、本方法は、無線デバイスによって、アップリンク制御チャネルモジュール（単数又は複数）のためのアップリンク制御チャネルモジュールフォーマットを判定することを含み、アップリンク制御チャネルモジュールフォーマットは、少なくとも第１のアップリンク制御チャネルモジュールフォーマット及び第２のアップリンク制御チャネルモジュールフォーマットから選択され、第１のアップリンク制御チャネルモジュールフォーマットは、第２のアップリンク制御チャネルモジュールフォーマットよりも、アップリンク制御情報に対して、より多くのシンボルを、及び基準信号に対して、より少ないシンボルを更に含む。
【００９３】
実施形態の更なる例示的なセットは、デバイスに、前述の実施例の任意の又は全ての部分を実装させるように構成されている処理要素を備える、装置を含むことができる。
【００９４】
実施形態の別の例示的なセットは、アンテナと、アンテナに結合された無線機と、無線機に動作可能に結合された処理要素と、を備えるデバイスを含むことができ、このデバイスは、前述の実施例の任意の又は全ての部分を実装するように構成されている。
【００９５】
実施形態の更なる例示的なセットは、デバイスで実行された際に、デバイスに、前述の実施例のいずれかの任意の又は全ての部分を実行させるプログラム命令を含む、非一時的コンピュータアクセス可能記憶媒体を含むことができる。
【００９６】
実施形態の更なる例示的なセットは、前述の実施例のいずれかの任意の又は全ての部分を実行する命令を含む、コンピュータプログラムを含むことができる。
【００９７】
実施形態のまた別の例示的なセットは、前述の実施例のうちのいずれかの任意の又は全ての要素を実行する手段を備える、装置を含むことができる。
【００９８】
本発明の実施形態は、様々な形態のいずれかで実現されてもよい。例えば、いくつかの実施形態では、本発明はコンピュータに実行される方法、コンピュータ可読記憶媒体、又はコンピュータシステムとして実現されてもよい。他の実施形態では、本発明は、ＡＳＩＣなどの、１つ以上のカスタム設計されたハードウェアデバイスを使用して実現することができる。他の実施形態では、本発明は、ＦＰＧＡなどの、１つ以上のプログラム可能なハードウェア要素を使用して実現することができる。
【００９９】
いくつかの実施形態では、非一時的コンピュータ可読記憶媒体（例えば非一時的記憶要素）は、プログラム命令及び／又はデータを記憶し、プログラム命令は、コンピュータシステムによって実行されたときに、そのコンピュータシステムに方法を、例えば、本明細書で説明した方法実施形態のいずれか、又は本明細書で説明した方法実施形態の任意の組み合わせ、又は本明細書で説明した方法実施形態の、いずれかの任意のサブセット、又はそのようなサブセットの任意の組み合わせ、を実行させるように構成されていてもよい。
【０１００】
いくつかの実施形態では、デバイス（例えばＵＥ）は、プロセッサ（又はプロセッサのセット）及び記憶媒体（又は記憶要素）を含むように構成されていてもよく、記憶媒体はプログラム命令を記憶し、プロセッサは、記憶媒体からプログラム命令を読み出して実行するように構成されており、プログラム命令は本明細書で説明した様々な方法実施形態のいずれか（若しくは本明細書で説明した方法実施形態の任意の組み合わせ、又は本明細書で説明した方法実施形態のいずれかの任意のサブセット、又はそのようなサブセットの任意の組み合わせ）を実装するために実行可能である。デバイスは、様々な形態のいずれかにおいて実現されてもよい。
【０１０１】
上記実施形態がかなり詳細に説明されてきたが、上記開示が完全に認識されると、多数の変形形態及び修正形態が当業者にとって明らかになる。以下の特許請求の範囲は、全てのそのような変形形態及び修正形態を包含すると解釈されることを意図している。
【図１】
2020508622.tif 000003
【図２】
2020508622.tif 000004
【図３】
2020508622.tif 000005
【図４】
2020508622.tif 000006
【図５】
2020508622.tif 000007
【図６】
2020508622.tif 000008
【図７】
2020508622.tif 000009
【図８】
2020508622.tif 000010
【図９】
2020508622.tif 000011
【図１０】
2020508622.tif 000012
【図１１】
2020508622.tif 000013
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
無線デバイスに、
少なくとも第１のスロット構造及び第２のスロット構造からアップリンク通信のためのスロット構造を判定させることであって、前記第１のスロット構造は、前記第２のスロット構造よりも少ない数のスロット当たりのシンボルを含む、スロット構造を判定させること、
少なくとも第１のアップリンクスロットタイプ及び第２のアップリンクスロットタイプから、前記アップリンク通信のためのスロットタイプを判定させること、
前記判定されたスロットタイプに少なくとも部分的に基づいて使用するアップリンク制御チャネルモジュールを判定させることであって、前記アップリンク制御チャネルモジュールは、少なくとも、第１の数のシンボルを含む第１のアップリンク制御チャネルモジュール及び異なる第２の数のシンボルを含む第２のアップリンク制御チャネルモジュールから判定される、アップリンク制御チャネルを判定させること、
前記判定されたスロット構造及びスロットタイプに従って、アップリンク制御チャネルを介してアップリンク制御情報を送信させることであって、前記アップリンク制御チャネルは、モジュラーであるフォーマットを有し、前記判定されたスロット構造が前記第１のスロット構造の場合は、前記判定されたアップリンク制御チャネルモジュールのうちの１つが使用され、前記判定されたスロット構造が前記第２のスロット構造の場合は、前記判定されたアップリンク制御チャネルモジュールのうちの２つが使用される、送信させること、
をするように構成されている処理要素を備える装置。
【請求項２】
前記判定されたアップリンク制御チャネルモジュールのうちの２つが使用される場合、前記アップリンク制御チャネルモジュールは、異なるサブキャリア上で送信される、
請求項１に記載の装置。
【請求項３】
前記判定されたアップリンク制御チャネルモジュールのうちの２つが使用される場合、前記アップリンク制御チャネルモジュールは、異なるシンボル上で送信される、請求項１に記載の装置。
【請求項４】
使用する前記アップリンク制御チャネルモジュールを判定するために、前記処理要素は、前記無線デバイスに、
前記第１のアップリンクスロットタイプのための前記第１のアップリンク制御チャネルモジュールを選択させ、
前記第２のアップリンクスロットタイプのための前記第２のアップリンク制御チャネルモジュールを選択させる、
ように更に構成されており、
前記第１のアップリンクスロットタイプは、前記第２のアップリンクスロットタイプよりも多くのスロット当たりのアップリンクシンボルを含み、前記第１の数のシンボルは、前記第２の数のシンボルよりも多い、請求項１に記載の装置。
【請求項５】
前記処理要素は、前記無線デバイスに、
アップリンク制御情報のためのシンボルの数、及び各アップリンク制御チャネルモジュールの基準信号のためのシンボルの数を判定させるように更に構成されている、請求項１に記載の装置。
【請求項６】
前記処理要素は、前記無線デバイスに、
アップリンク制御情報のためのシンボルの順序、及び各アップリンク制御チャネルモジュールの基準信号のためのシンボルの順序を判定させるように更に構成されている、請求項１に記載の装置。
【請求項７】
無線デバイスによって、
アップリンク通信のためのスロット構造を判定することであって、前記スロット構造は、少なくとも第１のスロット構造及び第２のスロット構造から選択される、ことと、
少なくとも第１のアップリンクスロットタイプ及び第２のアップリンクスロットタイプから、前記アップリンク通信のためのスロットタイプを判定すること、
前記判定されたスロットタイプに少なくとも部分的に基づいて使用するアップリンク制御チャネルモジュールを判定することであって、前記アップリンク制御チャネルモジュールは、少なくとも、第１の数のシンボルを含む第１のアップリンク制御チャネルモジュール及び異なる第２の数のシンボルを含む第２のアップリンク制御チャネルモジュールから判定される、アップリンク制御チャネルを判定することと、
スロット中において、１つ以上の前記判定されたアップリンク制御チャネルモジュールを介して及び前記判定されたスロット構造及びスロットタイプに従って、アップリンク制御情報を送信することであって、前記スロット中にアップリンク制御情報が送信されるアップリンク制御チャネルモジュールの数は、アップリンク制御通信のための前記スロット構造に少なくとも部分的に基づいている、送信することと、
を含む方法。
【請求項８】
前記第１のスロット構造は７シンボルスロット構造を含み、前記第２のスロット構造は１４シンボルスロット構造を含む、
請求項７に記載の方法。
【請求項９】
前記スロットタイプは、少なくとも第１のアップリンクスロットタイプ及び第２のアップリンクスロットタイプから選択される、請求項７に記載の方法。
【請求項１０】
前記第１のアップリンクスロットタイプはアップリンクのみのスロットタイプを含み、
前記第２のアップリンクスロットタイプはアップリンク中心のスロットタイプを含む、請求項９に記載の方法。
【請求項１１】
前記アップリンク制御チャネルモジュールは、少なくとも５シンボルアップリンク制御チャネルモジュール又は７シンボルアップリンク制御チャネルモジュールから選択される、
請求項７に記載の方法。
【請求項１２】
前記無線デバイスによって、
前記アップリンク制御チャネルモジュール（単数又は複数）のためのアップリンク制御チャネルモジュールフォーマットを判定すること、を更に含み、
前記アップリンク制御チャネルモジュールフォーマットは、少なくとも第１のアップリンク制御チャネルモジュールフォーマット及び第２のアップリンク制御チャネルモジュールフォーマットから選択され、
前記第１のアップリンク制御チャネルモジュールフォーマットは、前記第２のアップリンク制御チャネルモジュールフォーマットよりも、アップリンク制御情報に対して、より多くのシンボルを、及び基準信号に対して、より少ないシンボルを含む、
請求項７に記載の方法。
【請求項１３】
アンテナと、
前記アンテナと動作可能に結合された無線機と、
前記無線機に動作可能に結合された処理要素と、を備える、無線デバイスであって、
前記無線デバイスは、
アップリンク通信のためのスロット構造を判定することであって、前記スロット構造は、少なくとも第１のスロット構造及び第２のスロット構造から選択される、スロット構造を判定すること、
少なくとも第１のアップリンクスロットタイプ及び第２のアップリンクスロットタイプから、前記アップリンク通信のためのスロットタイプを判定すること、
前記判定されたスロットタイプに少なくとも部分的に基づいて使用するアップリンク制御チャネルモジュールを判定することであって、前記アップリンク制御チャネルモジュールは、少なくとも、第１の数のシンボルを含む第１のアップリンク制御チャネルモジュール及び異なる第２の数のシンボルを含む第２のアップリンク制御チャネルモジュールから判定される、アップリンク制御チャネルモジュールを判定すること、
スロット中において、前記判定された１つ以上のアップリンク制御チャネルモジュールを介して及び前記判定されたスロット構造及びスロットタイプに従って、アップリンク制御情報を送信することであって、前記スロット中にアップリンク制御情報が送信されるアップリンク制御チャネルモジュールの数は、アップリンク制御通信のための前記スロット構造に少なくとも部分的に基づいている、送信すること、
をするように構成されている、無線デバイス。
【請求項１４】
第１のスロット構造は、前記第２のスロット構造よりも少ないスロット当たりのシンボルを含み、前記無線デバイスは、
前記第１のスロット構造のためのアップリンク制御情報を送信する１つのアップリンク制御チャネルモジュールを選択し、
前記第２のスロット構造のためのアップリンク制御情報を送信する２つのアップリンク制御チャネルモジュールを選択する、ように更に構成されている、請求項１３に記載の無線デバイス。
【請求項１５】
２つのアップリンク制御チャネルモジュールが選択される場合、前記アップリンク制御モジュールは、異なるサブキャリア上で、かつ前記スロットの異なるシンボル上で送信される、
請求項１４に記載の無線デバイス。
【請求項１６】
前記アップリンク制御チャネルモジュールを判定するために、前記無線デバイスは、
より少ないアップリンクシンボルを含むアップリンクスロットタイプに対するよりも、より多くのアップリンクシンボルを含むアップリンクスロットタイプに対して、より多くのアップリンクシンボルを含むアップリンク制御チャネルモジュールを選択するように更に構成されている、請求項１３に記載の無線デバイス。
【請求項１７】
前記無線デバイスは、
アップリンク制御情報のためのシンボルの数、及び各アップリンク制御モジュールの基準信号のシンボルの数、あるいは
アップリンク制御情報のためのシンボルの順序、及び各アップリンク制御モジュールの基準信号のシンボルの順序
のうちの１つ以上を判定するように更に構成されている、請求項１３に記載の無線デバイス。
【手続補正２】
【補正対象書類名】明細書
【補正対象項目名】０００４
【補正方法】変更
【補正の内容】
【０００４】
カバレッジを増大させ、無線通信の想定される使用に対する増大する要求及び範囲により良く対応するために、上述の通信標準に加えて、第５世代（５Ｇ）新無線（new radio）（ＮＲ）通信を含む、開発中の更なる無線通信技術が存在する。それに応じて、このような開発及び設計をサポートする、この分野における改善が望まれる。
文献「Ｄｅｓｉｇｎｓ  ｆｏｒ  ＰＵＣＣＨ  ｉｎ  ｌｏｎｇ  ｄｕｒａｔｉｏｎ」（ＮＴＴ  ＤＯＣＯＭＯら、ギリシャ共和国アテネ、２０１７年２月１３日〜１７日）は、ＮＲに対する長期間のＵＬ制御チャネル（ＰＵＣＣＨ）に関する態様について記載している。
【手続補正３】
【補正対象書類名】明細書
【補正対象項目名】００２４
【補正方法】変更
【補正の内容】
【００２４】
本明細書で説明される特徴は、様々な修正形態及び代替形態を許容するが、その特定の実施形態を図面において例として示し、ここで詳細に説明する。しかし、図面及びそれらに対する詳細な説明は、開示されている特定の形態に限定することを意図するものではなく、逆に、その意図は、添付の「特許請求の範囲」によって定義されるような本主題の範囲内に収まる、全ての修正形態、均等形態、及び代替形態を包含することである点を理解されたい。
【手続補正４】
【補正対象書類名】明細書
【補正対象項目名】００３７
【補正方法】変更
【補正の内容】
【００３７】
本明細書の記載では、便宜上、タスク（単数及び複数）を実行するとして様々な構成要素を説明することができる。そのような説明は、語句「ように構成されている」を含むように解釈されるべきである。
図１及び図２−例示的な通信システム
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
無線デバイスに、
少なくとも第１のスロット構造及び第２のスロット構造からアップリンク通信のためのスロット構造を判定させることであって、前記第１のスロット構造は、前記第２のスロット構造よりも少ない数のスロット当たりのシンボルを含む、スロット構造を判定させること、
アップリンク制御チャネルを介してアップリンク制御情報を送信するために使用するアップリンク制御チャネルモジュール構造及びアップリンク制御チャネルモジュールフォーマットを判定させることであって、前記アップリンク制御チャネルモジュール構造は、異なる数のシンボルに対応する複数のアップリンク制御チャネルモジュール構造から判定され、前記アップリンク制御チャネルモジュールフォーマットは、前記判定されたアップリンク制御チャネルモジュール構造内の基準信号のための異なる数のシンボルに対応する複数のアップリンク制御チャネルモジュールフォーマットから判定される、アップリンク制御チャネルモジュール構造及びアップリンク制御チャネルモジュールフォーマットを判定させること、
前記判定されたアップリンク制御チャネルモジュール構造及び前記判定されたアップリンク制御チャネルモジュールフォーマットに従って、前記アップリンク制御チャネルを介してアップリンク制御情報を送信させること、
をするように構成されている処理要素を備える装置。
【請求項２】
２つのアップリンク制御チャネルモジュールが使用される場合、前記アップリンク制御チャネルモジュールは、異なるサブキャリア上で送信される、請求項１に記載の装置。
【請求項３】
２つのアップリンク制御チャネルモジュールが使用される場合、前記アップリンク制御チャネルモジュールは、異なるシンボル上で送信される、請求項１に記載の装置。
【請求項４】
前記アップリンク制御チャネルモジュール構造を判定するために、前記処理要素は、前記無線デバイスに、
第１のアップリンクスロットタイプのための第１のアップリンク制御チャネルモジュール構造を選択させ、
第２のアップリンクスロットタイプのための第２のアップリンク制御チャネルモジュール構造を選択させる、
ように更に構成されており、
前記第１のアップリンクスロットタイプは、前記第２のアップリンクスロットタイプよりも多くのスロット当たりのアップリンクシンボルを含み、前記第１のアップリンク制御チャネルモジュール構造は、前記第２のアップリンク制御チャネルモジュール構造よりも、より多くのシンボルを含む、請求項１に記載の装置。
【請求項５】
前記処理要素は、前記無線デバイスに、
アップリンク制御情報のためのシンボルの数、及び各アップリンク制御チャネルモジュール構造の基準信号のためのシンボルの数を判定させるように更に構成されている、請求項１に記載の装置。
【請求項６】
前記処理要素は、前記無線デバイスに、
アップリンク制御情報のためのシンボルの順序、及び各アップリンク制御チャネルモジュール構造の基準信号のためのシンボルの順序を判定させるように更に構成されている、請求項１に記載の装置。
【請求項７】
無線デバイスによって、
アップリンク通信のためのスロット構造を判定することであって、前記スロット構造は少なくとも第１のスロット構造及び第２のスロット構造から選択される、ことと、
アップリンク制御チャネルを介してアップリンク制御情報を送信するために使用する、アップリンク制御チャネルモジュール構造及びアップリンク制御チャネルモジュールフォーマットを判定することであって、前記アップリンク制御チャネルモジュール構造は、異なる数のシンボルに対応する複数のアップリンク制御チャネルモジュール構造から判定され、前記アップリンク制御チャネルモジュールフォーマットは、前記判定されたアップリンク制御チャネルモジュール構造内の基準信号のための異なる数のシンボルに対応する複数のアップリンク制御チャネルモジュールフォーマットから判定されることと、
スロット中において、前記判定されたアップリンク制御チャネルモジュール構造及びフォーマットの前記判定されたアップリンク制御チャネルモジュールのうちの１つ以上を介して、アップリンク制御情報を送信することであって、前記スロット中にアップリンク制御情報が送信されるアップリンク制御チャネルモジュールの数は、アップリンク制御通信のための前記スロット構造に少なくとも部分的に基づいている、送信することと、
を含む方法。
【請求項８】
前記第１のスロット構造は７シンボルスロット構造を含み、前記第２のスロット構造は１４シンボルスロット構造を含む、請求項７に記載の方法。
【請求項９】
少なくとも第１のアップリンクスロットタイプ及び第２のアップリンクスロットタイプから前記アップリンク通信のためのスロットタイプを判定すること、
を更に含む、請求項７に記載の方法。
【請求項１０】
前記第１のアップリンクスロットタイプはアップリンクのみのスロットタイプを含み、
前記第２のアップリンクスロットタイプはアップリンク中心のスロットタイプを含む、
請求項９に記載の方法。
【請求項１１】
前記アップリンク制御チャネルモジュール構造は、少なくとも５シンボルアップリンク制御チャネルモジュール構造又は７シンボルアップリンク制御チャネルモジュール構造から判定される、
請求項７に記載の方法。
【請求項１２】
前記複数のアップリンク制御チャネルモジュールフォーマットは、少なくとも第１のアップリンク制御チャネルモジュールフォーマット及び第２のアップリンク制御チャネルモジュールフォーマットを含み、
前記第１のアップリンク制御チャネルモジュールフォーマットは、前記第２のアップリンク制御チャネルモジュールフォーマットよりも、アップリンク制御情報に対して、より多くのシンボルを、及び基準信号に対して、より少ないシンボルを含む、請求項７に記載の方法。
【請求項１３】
アンテナと、
前記アンテナと動作可能に結合された無線機と、
前記無線機に動作可能に結合された処理要素と、
を備える、無線デバイスであって、
前記無線デバイスは、
アップリンク通信のためのスロット構造を判定することであって、前記スロット構造は、少なくとも第１のスロット構造及び第２のスロット構造から選択される、スロット構造を判定すること、
アップリンク制御チャネルを介してアップリンク制御情報を送信するために使用するアップリンク制御チャネルモジュール構造及びアップリンク制御チャネルモジュールフォーマットを判定することであって、前記アップリンク制御チャネルモジュール構造は、異なる数のシンボルに対応する複数のアップリンク制御チャネルモジュール構造から判定され、前記アップリンク制御チャネルモジュールフォーマットは、前記判定されたアップリンク制御チャネルモジュール構造内の基準信号のための異なる数のシンボルに対応する複数のアップリンク制御チャネルモジュールフォーマットから判定される、アップリンク制御チャネルモジュール構造及びフォーマットを判定すること、
スロット中において、前記判定されたアップリンク制御チャネルモジュール構造及びフォーマットの１つ以上のアップリンク制御チャネルモジュールを介して、アップリンク制御情報を送信することであって、前記スロット中にアップリンク制御情報が送信されるアップリンク制御チャネルモジュールの数は、アップリンク制御通信のための前記スロット構造に少なくとも部分的に基づいている、送信すること、
をするように構成されている無線デバイス。
【請求項１４】
第１のスロット構造は、前記第２のスロット構造よりも少ないスロット当たりのシンボルを含み、
前記無線デバイスは、
前記第１のスロット構造のためのアップリンク制御情報を送信する１つのアップリンク制御チャネルモジュールを選択し、
前記第２のスロット構造のためのアップリンク制御情報を送信する２つのアップリンク制御チャネルモジュールを選択する、
ように更に構成されている、
請求項１３に記載の無線デバイス。
【請求項１５】
前記アップリンク制御情報が２つのアップリンク制御チャネルモジュールを介して送信される場合、前記アップリンク制御モジュールは、異なるサブキャリア上で、かつ前記スロットの異なるシンボル上で送信される、
請求項１４に記載の無線デバイス。
【請求項１６】
前記アップリンク制御チャネルモジュール構造を判定するために、前記無線デバイスは、
より少ないアップリンクシンボルを含むアップリンクスロットタイプに対するよりも、より多くのアップリンクシンボルを含むアップリンクスロットタイプに対して、より多くのアップリンクシンボルを含むアップリンク制御チャネルモジュール構造を選択するように更に構成されている、請求項１３に記載の無線デバイス。
【請求項１７】
前記無線デバイスは、
アップリンク制御情報のためのシンボルの数、及び各アップリンク制御チャネルモジュール構造の基準信号のシンボルの数、あるいは
アップリンク制御情報のためのシンボルの順序、及び各アップリンク制御チャネルモジュール構造の基準信号のシンボルの順序
のうちの１つ以上を判定するように更に構成されている、請求項１３に記載の無線デバイス。
【国際調査報告】
2020508622.tif 000014
2020508622.tif 000015